(57)【要約】  本願は、パッケージングフィルム、バッテリモジュール及びモバイル端末を提供する。パッケージングフィルムは、パッケージング部分と、引張部分とを含み、引張部分及びパッケージング部分は、引き裂き線により区切られる。引張部分が引っ張られた場合、引き裂き線が切断され、引張部分は、パッケージング部分から分離される。パッケージング面において、パッケージング部分のバッテリの側壁をパッケージングする領域は、接着剤がない領域であり、他の領域には、第１接着剤が提供される。前記パッケージング部分における接着面には、第２接着剤が提供される。引張部分におけるパッケージング面の一部には、第３接着剤が提供され、引張部分における接着面は接着剤がない領域である。前述の実施例の解決手段において、パッケージングフィルムは一体構造状であり、引き裂き線はパッケージングフィルムを２つの異なる領域に分割する。バッテリが取り外される必要がある場合、パッケージング部分から引張部分を分離して、バッテリコンパートメントの中からバッテリを引き出すために、引き裂き線による境界を通じて得られる引張部分のみが、引っ張られる必要がある。これにより、バッテリの取り外しを容易にし、パッケージングフィルムの生産及び加工を容易にする。
2021500698.tif 000002
【特許請求の範囲】
【請求項１】
パッケージングフィルムであって、前記パッケージングフィルムは、パッケージング部分と、引張部分とを備え、前記引張部分及び前記パッケージング部分は引き裂き線により区切られており、前記引張部分が引っ張られた場合、前記引き裂き線が切断され、前記引張部分は、前記パッケージング部分から分離され、
前記パッケージングフィルムは、バッテリに対向するパッケージング面及びバッテリコンパートメントに対向する接着面を有し、
前記パッケージング部分の前記パッケージング面において、前記バッテリの側壁をパッケージングする領域は、接着剤がない領域であり、前記接着剤がない領域以外の第２領域には、第１接着剤が提供され、
前記パッケージング部分の前記接着面には、第２接着剤が提供され、前記第１接着剤の接着力は、前記第２接着剤の接着力より小さく、
前記引張部分における前記パッケージング面の一部には、第３接着剤が提供され、前記引張部分における前記接着面は接着剤がない領域である、パッケージングフィルム。
【請求項２】
２つの引き裂き線があり、前記２つの引き裂き線は、平行に配列され、前記パッケージングフィルムには貫通孔が設けられ、各引き裂き線は、前記貫通孔へと延在する、請求項１に記載のパッケージングフィルム。
【請求項３】
１つの引き裂き線があり、前記引き裂き線はＵ字形であり、前記引き裂き線の２つの端部は、前記パッケージングフィルムの同じ側へと延在する、請求項１に記載のパッケージングフィルム。
【請求項４】
前記パッケージングフィルムの一方の側は、前記パッケージングフィルムの側端を越えて延在する凸部を有し、前記引き裂き線は、前記凸部へと延在する、請求項１から３のいずれか一項に記載のパッケージングフィルム。
【請求項５】
前記凸部の端部には、各引き裂き線に接続されるノッチが設けられている、請求項４に記載のパッケージングフィルム。
【請求項６】
前記引張部分の、前記凸部へと延在する部分は、接着剤がない領域である、請求項４又は５に記載のパッケージングフィルム。
【請求項７】
前記引張部分は、部分的に前記凸部の外側にある、請求項４から６のいずれか一項に記載のパッケージングフィルム。
【請求項８】
前記パッケージング面における前記接着剤がない領域は、前記第１接着剤を３つの平行な領域に分割する、請求項１から７のいずれか一項に記載のパッケージングフィルム。
【請求項９】
前記引き裂き線は、二層の引き裂き線である、請求項１から８のいずれか一項に記載のパッケージングフィルム。
【請求項１０】
前記パッケージングフィルムの前記接着面に、保護フィルムが貼り付けられている、請求項１から９のいずれか一項に記載のパッケージングフィルム。
【請求項１１】
前記第３接着剤は、前記第１接着剤と同じである、請求項１から１０のいずれか一項に記載のパッケージングフィルム。
【請求項１２】
前記第３接着剤は、前記第１接着剤とは異なり、前記第３接着剤の接着力は、前記第１接着剤の前記接着力より大きい、請求項１から１０のいずれか一項に記載のパッケージングフィルム。
【請求項１３】
バッテリと、前記バッテリをパッケージングするための請求項１から１２のいずれか一項に記載のパッケージングフィルムとを備える、バッテリモジュール。
【請求項１４】
筐体と、前記筐体に配置されるバッテリコンパートメントと、前記バッテリコンパートメントに固定されるバッテリとを備え、前記バッテリは、請求項１から１２のいずれか一項に記載のパッケージングフィルムでパッケージングされる、モバイル端末。
【発明の詳細な説明】
【技術分野】
【０００１】
本願は、モバイル端末の技術分野、特に、パッケージングフィルム、バッテリモジュール及びモバイル端末に関する。
【背景技術】
【０００２】
モバイル端末にとって、バッテリは不可欠である。従来技術では、バッテリは、モバイル端末のバッテリコンパートメントに配置される必要があり、バッテリが固定される必要がある。従来技術において、バッテリは、様々な方式で固定され得る。図１に示される固定方式は、テープ３スキームである。具体的には、バッテリ２は、テープ３を用いてバッテリコンパートメント１に接着されることで、高い接着強度を実現する。しかしながら、この方式では、バッテリ２は、修理のための取り外しが容易ではなく、工具が必要とされる。取り外し中、バッテリ２のパッケージは損傷を受けやすく、安全上の問題を引き起こす。
【０００３】
さらに、図２は、イージープルテープ４を用いた固定方式を示す。具体的には、バッテリ２は、イージープルテープ４を用いてバッテリコンパートメント１に接着される。バッテリ２が取り外される場合、イージープルテープ４の取っ手７が引っ張られ、引っ張っている間にイージープルテープ４の粘性が減少する。イージープルテープ４が引き出された後に、バッテリ２が取り外される。しかしながら、イージープルテープ４の引き出し量は、イージープルテープ４の厚さ及び引き出し角により大きな影響を受けるので、バッテリコンパートメント１のアーキテクチャ設計に対する要件が課される。ガムテープスキームと比べて、この方式は、費用が高い。
【０００４】
さらに、図３は、バッテリパッケージングを用いるスキームを示す。バッテリ２は、取り外し可能なパッケージングフィルム５を用いてパッケージングされ、ハンドル構造６がバッテリ２に追加され、取り外し可能なパッケージングフィルム５は、一般的なテープ３を用いてバッテリコンパートメント１に接着される。バッテリ２が取り外される場合、取り外し可能なパッケージングフィルム５が開放された後に、ハンドル構造６が引き出され、その結果、バッテリ２は、取り外し可能なパッケージングフィルム５から分離され、バッテリ２が取り外される。しかしながら、このスキームでは、取り外し可能なパッケージングフィルム５が、ハンドル構造６から分離されてしまう。したがって、生産プロセス及び取り付けプロセスは、複雑であり、費用が高い。
【発明の概要】
【０００５】
本願は、シンプルなバッテリ取り外し構造を提供するために、パッケージングフィルム、バッテリモジュール及びモバイル端末を提供する。
【０００６】
第１態様によれば、パッケージングフィルムが提供される。パッケージングフィルムは、パッケージング部分と、引張部分とを含み、引張部分及びパッケージング部分は、引き裂き線により区切られる。引張部分が引っ張られた場合、引き裂き線が切断され、引張部分が、パッケージング部分から分離される。
【０００７】
パッケージングフィルムは、バッテリに対向するパッケージング面及びバッテリコンパートメントに対向する接着面を有する。
【０００８】
パッケージング部分のパッケージング面において、バッテリの側壁をパッケージングする領域は、接着剤がない領域であり、接着剤がない領域以外の第２領域には、第１接着剤が提供される。
【０００９】
パッケージング部分の接着面には、第２接着剤が提供され、第１接着剤の接着力は、第２接着剤の接着力より小さい。
【００１０】
引張部分におけるパッケージング面の一部には、第３接着剤が提供され、引張部分における接着面は、接着剤がない領域である。
【００１１】
前述の実施例の解決手段おいて、パッケージングフィルムは、一体構造状であり、引き裂き線は、パッケージングフィルムを２つの異なる領域に分割する。バッテリが取り外される必要がある場合、パッケージング部分から引張部分を分離して、バッテリコンパートメントの中からバッテリを引き出すために、引き裂き線による境界を通じて得られる引張部分のみが引っ張られる必要がある。これにより、バッテリの取り外しを容易にし、パッケージングフィルムの生産及び加工を容易にする。具体的な実施例の解決手段において、第３接着剤は、第１接着剤と同じである。
【００１２】
具体的な実施例の解決手段において、第３接着剤は、第１接着剤とは異なる。第３接着剤の接着力は、第１接着剤の接着力より大きい。接着力は異なり、引張部分とバッテリとの間の接着力は、パッケージング部分とバッテリとの間の接着力より大きい。これにより、バッテリの円滑な引き出しをさらに確保する。
【００１３】
具体的な実施例の解決手段において、２つの引き裂き線があり、２つの引き裂き線は、平行に配列される。パッケージングフィルムには貫通孔が設けられ、各引き裂き線は、貫通孔へと延在する。提供される２つの引き裂き線及び貫通孔を用いて、引張部分は、力が加えられる場合に、パッケージング部分から分離されることができ、その結果、バッテリを引き出すことができる。
【００１４】
具体的な実施例の解決手段において、１つの引き裂き線があり、引き裂き線はＵ字形であり、引き裂き線の２つの端部は、パッケージングフィルムの同じ側へと延在する。提供されるＵ字形の引き裂き線を用いて、引張部分は、力が加えられる場合、パッケージング部分から分離されることができ、バッテリを引き出すことができる。
【００１５】
具体的な実施例の解決手段において、パッケージングフィルムの一方の側は、パッケージングフィルムの側端を越えて延在する凸部を有し、引き裂き線は、凸部へと延在する。
【００１６】
具体的な実施例の解決手段において、凸部の端部には、各引き裂き線に接続されるノッチが設けられる。これにより、パッケージング部分からの引張部分の分離を容易にする。
【００１７】
具体的な実施例の解決手段において、引張部分の、凸部へと延在する部分は、接着剤がない領域である。これにより、バッテリの取り外しを容易にする。
【００１８】
具体的な実施例の解決手段において、引張部分は、部分的に凸部の外側にある。これは、引張部分に力を加えるのに役立ち、さらに、バッテリの取り外しを容易にする。
【００１９】
具体的な実施例の解決手段において、パッケージング面の接着剤がない領域は、第１接着剤を３つの平行な領域に分割する。これにより、パッケージング効果を高める。
【００２０】
具体的な実施例の解決手段において、引き裂き線は、二層の引き裂き線である。これにより、パッケージング部分からの引張部分の分離を容易にする。
【００２１】
具体的な実施例の解決手段において、第２接着剤を保護するために、保護フィルムがパッケージングフィルムの接着面に貼り付けられる。
【００２２】
具体的な実施例の解決手段において、パッケージングフィルムの接着面には、複数の接着領域が設けられ、各接着領域には、第２接着剤が提供される。これにより、接着効果を高める。
【００２３】
具体的な実施例の解決手段において、引張部分は、パッケージングフィルムの一方の側の中間位置に配置される。これにより、バッテリの引き出しを容易にする。
【００２４】
具体的な実施例の解決手段において、引張部分は、バッテリの側壁に及んでおり、バッテリの側壁の一方の側は接着剤がない領域であり、他方の側は接着領域である。
【００２５】
第２態様によれば、バッテリモジュールが提供される。バッテリモジュールは、バッテリと、前述の実施例の解決手段のいずれか一つに係る、バッテリをパッケージングするためのパッケージングフィルムとを含む。
【００２６】
前述の実施例の解決手段において、パッケージングフィルムは、一体構造状であり、引き裂き線は、パッケージングフィルムを２つの異なる領域に分割する。バッテリが取り外される必要がある場合、パッケージング部分から引張部分を分離して、バッテリコンパートメントの中からバッテリを引き出すために、引き裂き線による境界を通じて得られる引張部分のみが引っ張られる必要がある。これにより、バッテリの取り外しを容易にし、パッケージングフィルムの生産及び加工を容易にする。
【００２７】
第３態様によれば、モバイル端末が提供される。モバイル端末は、筐体と、筐体内に配置されるバッテリコンパートメントと、バッテリコンパートメントに固定されるバッテリとを含む。バッテリは、前述の実施例の解決手段のいずれか一つに係るパッケージングフィルムを用いてパッケージングされる。
【００２８】
前述の実施例の解決手段において、パッケージングフィルムは、一体構造状であり、引き裂き線は、パッケージングフィルムを２つの異なる領域に分割する。バッテリが取り外される必要がある場合、パッケージング部分から引張部分を分離して、バッテリコンパートメントの中からバッテリを引き出すために、引き裂き線による境界を通じて得られる引張部分のみが引っ張られる必要がある。これにより、バッテリの取り外しを容易にし、パッケージングフィルムの生産及び加工を容易にする。
【図面の簡単な説明】
【００２９】
【図１】従来技術におけるバッテリ取り付けの概略図である。
【図２】従来技術におけるバッテリ取り付けの概略図である。
【図３】従来技術におけるバッテリ取り付けの概略図である。
【図４】本願の実施形態に係るパッケージングフィルムのパッケージング面の概略図である。
【図５】本願の実施形態に係るパッケージングフィルムの接着面の概略図である。
【図６】本願の実施形態に係る別のパッケージングフィルムの概略構造図である。
【図７】本願の実施形態に係るパッケージングフィルムの使用状態の参考概略図である。
【図８】本願の実施形態に係るバッテリモジュールの概略構造図である。
【発明を実施するための形態】
【００３０】
本願の目的、技術的解決手段、利点をより明確にさせるために、以下では、さらに、添付の図面を参照して本願を詳細に説明する。
【００３１】
以下では、図４及び図７を参照して説明される。図４は、本願の実施形態において提供されるパッケージングフィルムを用いていない構造を示し、図７は、パッケージングフィルムがバッテリをパッケージングする場合、本願の本実施形態におけるパッケージングフィルムとバッテリとの協働の概略図を示す。
【００３２】
本願の本実施形態において提供されるパッケージングフィルムの理解を容易にするべく、２つの端部における表面を除いて、バッテリ２０の４つの面がまず名付けられる。バッテリ２０がバッテリコンパートメントに配置される場合、バッテリコンパートメントに対向する面がバッテリ２０の底部、すなわち、（図に示される）第１の表面である。第１の表面に対向する面が第２の表面２１であり、第１の表面及び第２の表面２１に隣接する２つの面が側面である。
【００３３】
まず、図４及び図５を参照すると、本願の実施形態において提供されるパッケージングフィルム１０が採用しているは、一体構造状である。パッケージングフィルム１０は、２つの対向する面、すなわち、接着面及びパッケージング面を有する。図４に示される面は、パッケージング面である。パッケージングフィルム１０がバッテリ２０をパッケージングする場合に、バッテリ２０に対向する面がパッケージング面である。図５に示される面は、接着面である。接着面は、パッケージング面に対向する面である。バッテリ２０がバッテリコンパートメントに配置される場合、接着面は、バッテリコンパートメントに対向し、バッテリコンパートメントに接着される。
【００３４】
パッケージングフィルム１０の接着面とパッケージング面との間の相対的な関係が説明された後に、パッケージングフィルム１０の領域構造が以下で説明される。パッケージングフィルム１０の境界を通じて得られる各領域の構造が、パッケージングフィルム１０内のエンティティ構造であることを理解されたい。パッケージングフィルム１０の境界を通じて得られるエンティティ構造は、パッケージング部分１１及び引張部分１２を含む。パッケージング部分１１は、２つの面を有し、２つの面は、パッケージングフィルム１０の接着面及びパッケージング面である。引張部分１１は、２つの面を有し、２つの面は、パッケージングフィルム１０の接着面及びパッケージング面である。
【００３５】
図４のパッケージングフィルム１０を参照すると、本願の本実施形態において提供されるバッテリ２０のパッケージングフィルム１０は、パッケージング部分１１と引張部分１２とに分割される。パッケージング部分１１は、バッテリ２０をパッケージングするために用いられ、引張部分１２は、バッテリ２０が取り外される場合に、外力を加えるための領域として用いられる。２つの領域構造間を区別するために、パッケージングフィルム１０には、引き裂き線１４が設けられている。引き裂き線１４は、引張部分１２からパッケージング部分１１を分離するために、パッケージングフィルム１０に形成される。さらに、引き裂き線１４は、引張部１２とパッケージング部１１との間で部分的に切断され、かつ、部分的に接続されている構造を形成する。引張部１２が外力により引っ張られる場合、引き裂き線１４が切断され、その結果、パッケージング部１１が引張部１２から切り離されることで、２つの独立した構造を形成できる。
【００３６】
パッケージングフィルム１０がバッテリ２０に接続される場合、パッケージング部分１１内のパッケージング面には、第１接着剤が提供され（図では符号付けされていない）、パッケージング部分１１は、第１接着剤によりバッテリ２０に接着され、その結果、パッケージング部分１１は、バッテリ２０をパッケージングできる。さらに、バッテリ２０が取り外される場合、バッテリ２０からのパッケージングフィルム１０の分離を容易にするために、パッケージング部分１１内のパッケージング面の、バッテリ２０の側面の両方をパッケージングするために用いられる領域は、図４におけるパッケージング部分１１の斜線領域として示される接着剤がない領域として配置される。接着剤がない領域以外の第２領域には、第１接着剤が提供される。パッケージングフィルム１０がバッテリ２０をパッケージングする場合、接着剤がない領域は、バッテリ２０からパッケージングフィルム１０を分離するために、バッテリ２０に接着されない。第３接着剤はまた、引張部分１２のパッケージング面に部分的に配置されることで、パッケージング部分１１がバッテリ２０をパッケージする場合に、バッテリ２０に引張部分１２を接着させることができ、引張部分１２を引っ張ることにより、バッテリ２０を移動させることができることを確保する。
【００３７】
バッテリ２０をパッケージングするパッケージングフィルム１０がバッテリコンパートメント内に配置される場合、パッケージングフィルム１０の接着面には、第２接着剤が提供され、パッケージングフィルム１０は、第２接着剤によりバッテリコンパートメントの底部に接着される。具体的な配置の間、第１接着剤の接着力は、第２接着剤の接着力より小さい。この配置方式では、バッテリ２０が取り外される場合、パッケージングフィルム１０は、バッテリ２０と共に引き出されることなく、バッテリコンパートメントに接着され得る。さらに、バッテリ２０の引き出しを容易にするために、引張部分１２における接着面は接着剤がない領域である。このように、パッケージングフィルム１０がバッテリコンパートメントに固定される場合、引張部分１２は、バッテリコンパートメントの底部に接着されておらず、引張部分１２の引き出しを容易にする。
【００３８】
本願の本実施形態において提供されるパッケージングフィルム１０が一体構造状であり、引き裂き線１４により２つの異なる領域に分割されることが前述の説明から分かり得る。バッテリ２０が取り外される必要がある場合、引張部分１２は、引き裂き線１４により境界を通じて得られる引張部分１２を単純に引っ張ることにより、パッケージング部分１１から分離されることができ、バッテリ２０は、バッテリコンパートメントの外部に引き出される。これにより、バッテリ２０の取り外しを容易にする。
【００３９】
本願の本実施形態において提供されるパッケージングフィルム１０の具体的な構造及び原理を詳細に理解するために、以下では、添付の図面を参照して、詳細な説明を提供する。
【００４０】
まず、図４及び図５を参照すると、本願の本実施形態において提供されるパッケージングフィルム１０は、一体構造状のパッケージングフィルムであり、当該フィルムは、２つの対向する面、すなわち、パッケージング面及び接着面を含む。図４に示されるように、バッテリ２０をパッケージングする機能によって、パッケージング面は、バッテリ２０の第１の表面に接着される第１の表面パッケージング領域１１１と、２つの側面に接着される側面パッケージング領域１１２と、第２の表面２１に接着される第２表面パッケージング領域１１３とに分割される。図８に示されるように、２つの第２の表面パッケージング領域１１３は、バッテリ２０の第２の表面２１を部分的にパッケージングする。図５に示されるように、第１の表面パッケージング領域１１１に対向する接着面の領域のみに、第１の表面接着領域１１４が設けられ、接着面内の他の領域は接着剤がない領域である。
【００４１】
機能によって、パッケージングフィルム１０は、２つの部分、すなわち、パッケージング部分１１及び引張部分１２に分割される。パッケージング部分１１は、引き裂き線１４により引張部分１２から分離される。具体的な実施例の解決手段において、引き裂き線１４は、二層の引き裂き線であり、図４に示される引き裂き線１４は、二層の引き裂き線である。二層の引き裂き線が用いられる場合、引張部分１２は、比較的小さい力を加えることにより、パッケージング部分１１から分離され得る。引き裂き線１４が接続されている場合、パッケージング部分１１及び引張部分１２は、一体構造状である。引き裂き線１４が切断された場合、パッケージング部分１１は引張部分１２から分離され、パッケージング部分１１はバッテリコンパートメント内に留まり、引張部分１２は、バッテリ２０に接続され、パッケージング部分１１の中からバッテリ２０を引き出す。
【００４２】
引張部分１２及びパッケージング部分１１が互いから分離され得ることを確保するために、本願の本実施形態において提供されるパッケージングフィルム１０は、２つの異なる構造方式を用いる。１つの方式が図４に示される。この方式では、２つの引き裂き線１４が、パッケージング部分１１から引張部分１２の２つの側を分離し、貫通孔１５が、パッケージングフィルム１０に設けられ、各引き裂き線１４は、貫通孔１５へと延在する。このように、ポーリング部分１２は、２つの引き裂き線１４及び貫通孔１５により、パッケージング部分１１から区別される。具体的な配置の間、２つの引き裂き線１４は、平行又は略平行に配列され、引き裂き線１４の端部は、パッケージングフィルム１０の同じ側へと延在する。図４に示されるように、引き裂き線１４の一方の端部は、貫通孔１５に位置し、他方の端部は、パッケージングフィルム１０の端に位置する。区分を通じて得られるパッケージング部分１１は、凹形構造を形成し、引張部分１２は、パッケージング部分１１の凹部内の矩形構造に挿入される。使用する場合、引張部分１２は、２つの引き裂き線１４を引き裂くように引っ張られ、引き裂き線１４が貫通孔１５の位置において切断された場合、引張部分１２は、パッケージング部分１１から分離される。
【００４３】
他の方式が図６に示される。１つの引き裂き線１４があり、１つの引き裂き線１４は、Ｕ字形である。Ｕ字形の引き裂き線１４の２つの端部は、パッケージングフィルム１０の一部を分割して、引張部分１２を得るために、パッケージングフィルム１０の同じ側へと延在する。引張部分１２が引っ張られる場合、引き裂き線１４が徐々に切断され、引き裂き線１４が完全に切断された場合、引張部分１２は、パッケージング部分１１から切り離される。Ｕ字形の引き裂き線１４が本願の本実施形態において提供されるが、別の形状を有する引き裂き線１４が、本願の本実施形態に適用されることもでき、引き裂き線１４が切断された場合、引き裂き線１４がパッケージング部分１１から引張部分１２を分離できることが確保され得ることを提供することを理解されたい。引き裂き線１４が折り目である場合、引き裂き線１４は、引張部分１２を形成するために、２つの平行な引き裂き線１４と、Ｖ字形の引き裂き線１４とを含み、本願の本実施形態に適用することもできる。
【００４４】
引張部分１２は、異なる方式での分割を通じて得られることができ、引張部分１２の境界中、引張部分１２は、パッケージングフィルム１０の一方の側において異なる場所に位置し得ることが前述の説明から分かり得る。基準方向として、図３に示されるパッケージングフィルム１０を配置するための向きを用いて、引張部分１２は、パッケージングフィルム１０の上部又は下部のいずれかの近傍にすることができる。具体的な実施例において、引張部分１２は、パッケージングフィルム１０の一方の側の中間位置に配置される。この場合、引張部分１２の２つの側の接着力は、比較的等しく、バッテリ２０をパッケージングフィルム１０の外側に引き出すのに役立つ。
【００４５】
上述したパッケージング部分１１及び引張部分１２において、パッケージング部分１１は、バッテリ２０及びバッテリコンパートメントに接続される必要があり、引張部分１２は、バッテリ２０のみに接続される必要がある。以下では、パッケージング部分１１と、引張部分１２と、バッテリ２０とバッテリコンパートメントとの間の接続を詳細に説明する。
【００４６】
まず、パッケージング部分１１について、図４及び図６に示されるように、パッケージング面内の接着剤がない領域は、第１接着剤を３つの平行な領域に分割する。具体的には、パッケージング部分１１のパッケージング面において、第１の表面パッケージング領域１１１及び２つの第２の表面パッケージング領域１１３の両方には第１接着剤が提供され、側面パッケージング領域１１２は接着剤がない領域である。したがって、パッケージング部分１１内のパッケージング面がバッテリ２０をパッケージングする場合、パッケージング部分１１は、バッテリ２０の第１の表面及び第２の表面２１の両方に接着される。図７及び図８に示されるように、図７は、第１の表面パッケージング領域１１１がバッテリ２０に接着される場合を示す。この場合、第２表面パッケージング領域１１３は、バッテリ２０の両方の側にそれぞれ位置する。図８に示されるように、第２表面パッケージング領域１１３がバッテリ２０をパッケージングする場合、第２表面パッケージング領域１１３は、第２の表面２１の２つの側の両方の端の部分的な領域のみをパッケージングする。さらに、側面パッケージング領域１１２は接着剤がない領域であるので、パッケージング面がバッテリ２０をパッケージングする場合、側面パッケージング領域１１２は、バッテリ２０の側面に接着されておらず、パッケージングフィルム１０の中からバッテリ２０を引き出しやすくする。パッケージング部分１１に位置する接着面について、第１の表面接着領域１１４のみに、第２接着剤が提供され、残りの領域は接着剤がない領域である。パッケージングフィルム１０にパッケージングされるバッテリ２０がバッテリコンパートメントに固定される場合、パッケージングフィルム１０の接着面に提供される第２接着剤は、バッテリコンパートメントの底部に接着される。具体的な配置の間、複数の接着領域１１５は、パッケージングフィルム１０の接着面に配置され、各接着領域１１５には、第２接着剤が提供される。図５に示されるように、複数の短列配置された接着領域１１５が形成され、接着領域１１５が、引き裂き線１４を横切る場合、接着剤が引張部分１２に接着することを防止するために、接着領域１１５が遮られている。
【００４７】
接着剤は、コーティングを通じて接着領域１１５の表面に配置されてよく、接着剤は、他の既知の方式（例えば、両面テープを用いる）に適用されてもよい。接着領域１１５がバッテリコンパートメントに対する接着力を有することを確保できことを提供する本発明の本実施形態に対して、他の方法を適用できる。
【００４８】
引張部分１２について、引張部分１２は、バッテリ２０のみに接続され、引張部分１２における第１の表面の接着部分１１４は接着剤がない領域である。具体的には、図５に示されるように、接着領域１１５は、引き裂き線１４へと延在する場合に遮られており、その結果、接着剤が引張部分１２に接着されることを防止する。さらに、引張部分１２をバッテリ２０に接続するために、第３接着剤が、引張部分１２の上部に配置される。図４に示されるように、引張部分１２のパッケージング面の少なくとも一部には、第３接着剤が提供される。本願の本実施形態において提供される引張部分１２について、パッケージングフィルム１０がバッテリ２０をパッケージングする場合、引張部分１２は、バッテリ２０の第１の表面と一方の側面と第２の表面２１と接触した状態で、バッテリ２０の側壁に及んでいる。引張部分１２のバッテリ２０の側壁側の領域は、接着剤がない領域（図４に示される引張部分１２内の斜線領域）であり、他方の側は接着領域である。具体的には、引張部分１２における第１の表面パッケージング領域１１１には、第１接着剤及び第３接着剤が提供され、引張部分１２にある側面パッケージング領域１１２及び第２表面パッケージング領域１１３は、接着剤がない領域である。そのような構造が用いられる場合において、引張部分１２の端は、バッテリ２０に接着されておらず、したがって、引張部分１２は、容易に引っ張りあげられることができる。さらに、前述の構造が用いられる場合、引張部分１２及びバッテリ２０の第１の表面は、バッテリ２０を引き出すために加えられる牽引力に耐えるのに十分に接着した領域を有することが確保され得る。第３接着剤は、第１接着剤と同じであってよい。さらに、第３接着剤は、第１接着剤とは異なる。第３接着剤が第１接着剤とは異なる場合、第３接着剤の接着力は、第１接着剤の接着力より大きい。したがって、引張部分１２とバッテリ２０との間の接着力は、パッケージング部分１１バッテリ２０との間の接着力より大きく、さらに、引張部分１２がパッケージングフィルム１０の中からバッテリ２０を円滑に引き出し得ることを確保する。
【００４９】
パッケージング部分１１からの引張部分１２の分離を容易にすべく、本願の本実施形態において、パッケージングフィルム１０は、引張部分１２が位置する側で構造的に改善されている。図４及び図６に示されるように、パッケージングフィルム１０の一方の側は、パッケージングフィルム１０の側端を越えて延在する凸部１３を有し、引き裂き線１４は、凸部１３へと延在する。凸部１３の一部は、パッケージング部分１１に属し、他の部分は、引張部分１２に属する。さらに、凸部１３において、凸部１３の端には、引き裂き線１４のそれぞれに接続されるノッチ１３１が設けられる。引張部分１２が引き出される必要がある場合、ノッチ１３１の位置強度は比較的低く、その結果、引張部分１２は、パッケージング部分１１から利便性よく分離され得る。好ましくは、引張部分１２は、凸部１３の外側へと引き延ばされて、凸形状の構造を形成する。図８に示されるように、引張部分１２の、凸部１３の外側へと延在する部分は、引張部分１２の力受け部分として用いられてよい。引張部分１２が、パッケージング部分１１から分離されていない場合、引張部分１２は、引張部分１２の、凸部１３へと延在する領域をつかむことによって引っ張られて、その結果、パッケージング部分１１から引張部分１２を分離し、バッテリ２０を引き出す。
【００５０】
凸部１３へと延在する構造は、引張部分１２に配置されており、引張部分１２の移動を容易し、さらに、引張部分１の引っ張り上げを容易にすることが前述の説明から分かり得る。引張部分１２の、凸部１３へと延在する領域は、接着剤がない領域である。
【００５１】
パッケージングフィルム１０が、バッテリ２０をパッケージングしていない場合、不純物から第１接着剤及び第２接着剤を保護するために、好ましくは、保護フィルム（図に示されていない）がパッケージングフィルム１０の接着面に取り付けられて、第２接着剤を保護することを理解されたい。同様に、保護フィルムは、パッケージングフィルム１０のパッケージング面に貼り付けられ、第１接着剤を保護する。
【００５２】
さらに、バッテリ２０が引き出される場合、パッケージングフィルム１０がバッテリコンパートメント内に留まることができることを確保するために、第１接着剤及び第２接着剤の選択中、第１接着剤の接着力は、第２接着剤の接着力より小さく、第１接着剤及び第２接着剤は、従来技術において一般的に用いられる接着剤、例えば、ホットメルト接着剤を用いてよい。
【００５３】
本願の本実施形態において提供されるパッケージングフィルム１０は、一体構造の形式で製造され、製造されたパッケージングフィルム１０は、バッテリ２０のパッケージング及び取り外し機能を有することが前述の説明から分かり得る。図３におけるバッテリ２０のパッケージング及び取り外し構造と比べて、そのような構造はより単純で、費用がより低い。
【００５４】
図８に示されるように、本願の実施形態は、さらに、バッテリ２０のモジュールを提供し、バッテリ２０のモジュールは、バッテリ２０と、前述の実施形態のうちのいずれか１つに係るバッテリ２０をパッケージングするためのパッケージングフィルム１０とを含む。
【００５５】
前述の実施例の解決手段において、バッテリ２０がパッケージングされる場合、パッケージングフィルム１０の保護フィルムは、取り外される必要があり、次に、パッケージングフィルム１０は、バッテリ２０をパッケージするために、第１接着剤によりバッテリ２０に接着される。パッケージングフィルム１０は、一体構造状であり、引き裂き線１４により２つの異なる領域に分割される。バッテリ２０が取り外される必要がある場合、パッケージング部分１１から引張部分１２を分離して、バッテリコンパートメントの中からバッテリ２０を引き出すために、引き裂き線１４による境界を通じて得られる引張部分１２のみが引っ張られる必要がある。これにより、バッテリ２０の取り外しを容易にし、パッケージングフィルム１０の生産及び加工を容易にする。
【００５６】
本願の実施形態は、さらに、モバイル端末を提供する。モバイル端末は、一般的な携帯電話、タブレットコンピュータ又はラップトップコンピュータなどであってよい。モバイル端末は、筐体と、筐体内に配置されるバッテリコンパートメントと、バッテリコンパートメントに固定されるバッテリ２０とを含む。バッテリ２０は、前述の実施形態のうちのいずれか１つに係るパッケージングフィルム１０を用いてパッケージングされる。
【００５７】
前述の実施例の解決手段において、バッテリ２０がパッケージングされる場合、パッケージングフィルム１０の保護フィルムは、取り外される必要があり、次に、パッケージングフィルム１０は、第１接着剤によりバッテリ２０に接着されて、バッテリ２０をパッケージングする。バッテリ２０のモジュールがバッテリコンパートメント内に取り付けられる場合、パッケージングフィルム１０上の第２接着剤を保護するための保護フィルムが取り外される必要があり、次に、バッテリ２０のモジュールが、バッテリコンパートメント内に配置されて、第２接着剤によりバッテリコンパートメントの底部に接着される。前述の実施例の解決手段において、パッケージングフィルム１０は、一体構造として形成され、パッケージングフィルム１０は、引き裂き線１４により２つの異なる領域に分割される。バッテリ２０が取り外される必要がある場合、パッケージング部分１１から引張部分１２を分離して、バッテリコンパートメントの中からバッテリ２０を引き出すために、引き裂き線１４による境界を通じて得られる引張部分１２のみが引っ張られる必要がある。これにより、バッテリ２０の取り外しを容易にし、パッケージングフィルム１０の生産及び加工を容易にする。
【００５８】
前述の説明は、本願の具体的な実施例に過ぎないが、本願の保護範囲を限定することを目的とするものではない。本願において開示される技術的範囲内で当業者が考え付きやすい任意の変形又は置換は、本願の保護範囲内に含まれるものとする。したがって、本願の保護範囲は、特許請求の範囲の保護範囲の対象になるものとする。
【図１】
2021500698.tif 000003
【図２】
2021500698.tif 000004
【図３】
2021500698.tif 000005
【図４】
2021500698.tif 000006
【図５】
2021500698.tif 000007
【図６】
2021500698.tif 000008
【図７】
2021500698.tif 000009
【図８】
2021500698.tif 000010
【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
パッケージングフィルムであって、前記パッケージングフィルムは、パッケージング部分と、引張部分とを備え、前記引張部分及び前記パッケージング部分は引き裂き線により区切られており、前記引張部分が引っ張られた場合、前記引き裂き線が切断され、前記引張部分は、前記パッケージング部分から分離され、
前記パッケージングフィルムは、バッテリに対向するパッケージング面及びバッテリコンパートメントに対向する接着面を有し、
前記パッケージング部分の前記パッケージング面において、前記バッテリの側壁をパッケージングする領域は、接着剤がない領域であり、前記接着剤がない領域以外の第２領域には、第１接着剤が提供され、
前記パッケージング部分の前記接着面には、第２接着剤が提供され、前記第１接着剤の接着力は、前記第２接着剤の接着力より小さく、
前記引張部分における前記パッケージング面の一部には、第３接着剤が提供され、前記引張部分における前記接着面は接着剤がない領域である、パッケージングフィルム。
【請求項２】
２つの引き裂き線があり、前記２つの引き裂き線は、平行に配列され、前記パッケージングフィルムには貫通孔が設けられ、各引き裂き線は、前記貫通孔へと延在する、請求項１に記載のパッケージングフィルム。
【請求項３】
１つの引き裂き線があり、前記引き裂き線はＵ字形であり、前記引き裂き線の２つの端部は、前記パッケージングフィルムの同じ側へと延在する、請求項１に記載のパッケージングフィルム。
【請求項４】
前記第３接着剤は、前記第１接着剤と同じである、又は、
前記第３接着剤は、前記第１接着剤とは異なり、前記第３接着剤の接着力は、前記第１接着剤の前記接着力より大きい、請求項１から３のいずれか一項に記載のパッケージングフィルム。
【請求項５】
前記パッケージングフィルムの一方の側は、前記パッケージングフィルムの側端を越えて延在する凸部を有し、前記引き裂き線は、前記凸部へと延在する、請求項１から４のいずれか一項に記載のパッケージングフィルム。
【請求項６】
前記凸部の端部には、各引き裂き線に接続されるノッチが設けられている、請求項５に記載のパッケージングフィルム。
【請求項７】
前記引張部分の、前記凸部へと延在する部分は、接着剤がない領域である、及び／又は、
前記引張部分は、部分的に前記凸部の外側にある、請求項５又は６に記載のパッケージングフィルム。
【請求項８】
前記パッケージング面における前記接着剤がない領域は、前記第１接着剤を３つの平行な領域に分割する、請求項１から７のいずれか一項に記載のパッケージングフィルム。
【請求項９】
前記引き裂き線は、二層の引き裂き線である、及び／又は、
前記パッケージングフィルムの前記接着面に保護フィルムが貼り付けられている、請求項１から８のいずれか一項に記載のパッケージングフィルム。
【請求項１０】
バッテリと、前記バッテリをパッケージングするための請求項１から９のいずれか一項に記載のパッケージングフィルムとを備える、バッテリモジュール。
【請求項１１】
筐体と、前記筐体に配置されるバッテリコンパートメントと、前記バッテリコンパートメントに固定されるバッテリとを備え、前記バッテリは、請求項１から９のいずれか一項に記載のパッケージングフィルムでパッケージングされる、モバイル端末。
【手続補正２】
【補正対象書類名】明細書
【補正対象項目名】００４２
【補正方法】変更
【補正の内容】
【００４２】
引張部分１２及びパッケージング部分１１が互いから分離され得ることを確保するために、本願の本実施形態において提供されるパッケージングフィルム１０は、２つの異なる構造方式を用いる。１つの方式が図４に示される。この方式では、２つの引き裂き線１４が、パッケージング部分１１から引張部分１２の２つの側を分離し、貫通孔１５が、パッケージングフィルム１０に設けられ、各引き裂き線１４は、貫通孔１５へと延在する。このように、引張部分１２は、２つの引き裂き線１４及び貫通孔１５により、パッケージング部分１１から区別される。具体的な配置の間、２つの引き裂き線１４は、平行又は略平行に配列され、引き裂き線１４の端部は、パッケージングフィルム１０の同じ側へと延在する。図４に示されるように、引き裂き線１４の一方の端部は、貫通孔１５に位置し、他方の端部は、パッケージングフィルム１０の端に位置する。区分を通じて得られるパッケージング部分１１は、凹形構造を形成し、引張部分１２は、パッケージング部分１１の凹部内の矩形構造に挿入される。使用する場合、引張部分１２は、２つの引き裂き線１４を引き裂くように引っ張られ、引き裂き線１４が貫通孔１５の位置において切断された場合、引張部分１２は、パッケージング部分１１から分離される。
【手続補正３】
【補正対象書類名】明細書
【補正対象項目名】００５２
【補正方法】変更
【補正の内容】
【００５２】
さらに、バッテリ２０が引き出される場合、パッケージングフィルム１０がバッテリコンパートメント内に留まることができることを確保するために、第１接着剤及び第２接着剤の選択中、第１接着剤の接着力は、第２接着剤の接着力より小さく、第１接着剤及び第２接着剤は、一般的に用いられる接着剤、例えば、ホットメルト接着剤を用いてよい。
【国際調査報告】
2021500698.tif 000011
2021500698.tif 000012
2021500698.tif 000013
2021500698.tif 000014